(57)【要約】 【課題】左右のレンズ縁枠間にブリッジが設けられてなり長期間に亘って安定的に形態が維持され得る眼鏡前枠を製造するための眼鏡前枠製造基板を提供する。【解決手段】左右のレンズ縁枠形成部２，２間にブリッジ形成部３が設けられている。レンズ縁枠形成部２が所要にカット加工されることによって、レンズが装着されるレンズ縁枠が形成されると共に、ブリッジ形成部３が所要にカット加工されることによって、左右のレンズ縁枠相互を連結するブリッジが形成される。レンズ縁枠形成部２の前面は、レンズの突の球面の合わせた突球面を有し、レンズ縁枠形成部２の後面は、レンズの凹の球面に合わせた凹球面を有する。【選択図】図１
2007058189.tif 000002
【特許請求の範囲】
【請求項１】
合成樹脂の射出成形によって形成された眼鏡前枠製造基板であって、左右のレンズ縁枠形成部間にブリッジ形成部が設けられており、該レンズ縁枠形成部が所要にカット加工されることによって、レンズが装着されるレンズ縁枠が形成されると共に、該ブリッジ形成部が所要にカット加工されることによって、左右のレンズ縁枠相互を連結するブリッジが形成される如くなされており、又、該レンズ縁枠形成部の前面及び該ブリッジ形成部の前面の形状は、形成せんとする眼鏡前枠の枠前面（顔面側と反対側の面）に合わせて形成されると共に、該レンズ縁枠形成部の後面及び該ブリッジ形成部の後面の形状は、形成せんとする眼鏡枠の枠後面（顔面側の面）に合わせて形成されていることを特徴とする眼鏡前枠製造基板。
【請求項２】
前記レンズ縁枠形成部の前面は、使用されるレンズの突の球面に略合わせた突球面を有し、且つ前記レンズ縁枠形成部の後面は、使用されるレンズの凹の球面に略合わせた凹球面を有し、カット加工によって形成されるリムの、少なくとも内周縁の略全体が、該突球面及び凹球面に位置することを特徴とする請求項１記載の眼鏡前枠製造基板。
【請求項３】
前記左右のレンズ縁枠形成部に、前記レンズ縁枠の形成に支障のない範囲で開口が設けられていることを特徴とする請求項１又は２記載の眼鏡前枠製造基板。
【請求項４】
前記左右のレンズ縁枠形成部の中央部分に、前記レンズ縁枠の形成に支障のない範囲で開口が設けられていることを特徴とする請求項１又は２記載の眼鏡前枠製造基板。
【請求項５】
後側の左右端部分に、ヨロイ形成用突部が後方向に突設されており、該ヨロイ形成用突部が所要にカット加工されることによって、テンプルを連結するためのヨロイが形成される如くなされていることを特徴とする請求項１又は２記載の眼鏡前枠製造基板。
【請求項６】
射出成形に用いる前記合成樹脂が、カーボンが５〜３０重量％混合されてなるカーボン樹脂であることを特徴とする請求項１、２、３又は４記載の眼鏡前枠製造基板。
【請求項７】
射出成形に用いる前記合成樹脂が、ナイロンにカーボンが１０〜２５重量％混合されてなるカーボン樹脂であることを特徴とする請求項１、２、３又は４記載の眼鏡前枠製造基板。
【請求項８】
請求項１記載の眼鏡前枠製造基板をカット加工することによって眼鏡前枠を製造する眼鏡前枠の製造方法であり、前記レンズ縁枠形成部をカット加工することによってレンズ縁枠を形成すると共に、前記ブリッジ形成部をカット加工することによって、左右のレンズ縁枠相互を連結するブリッジを形成することを特徴とする眼鏡前枠の製造方法。
【請求項９】
請求項２記載の眼鏡前枠製造基板をカット加工することによって眼鏡前枠を製造する眼鏡前枠の製造方法であり、前記レンズ縁枠形成部をカット加工することによって、内周縁の略全体が前記突球面及び前記凹球面に位置するレンズ縁枠を形成すると共に、前記ブリッジ形成部をカット加工することによって、左右のレンズ縁枠相互を連結するブリッジを形成することを特徴とする眼鏡前枠の製造方法。
【請求項１０】
前記レンズ縁枠を、環状にカット加工して形成することを特徴とする請求項８又は９記載の眼鏡前枠の製造方法。
【請求項１１】
前記レンズ縁枠を、レンズの上縁部分のみに又は下縁部分のみに装着されるものとしてカット加工して形成することを特徴とする請求項８又は９記載の眼鏡前枠の製造方法。
【発明の詳細な説明】
【技術分野】
【０００１】
本発明は、左右のレンズが装着される合成樹脂製の眼鏡前枠（一般にフロントと言われている）をカット加工により製造するために用いる眼鏡前枠製造基板に関するものであり、又、該眼鏡前枠製造基板を用いて眼鏡前枠を製造する眼鏡前枠の製造方法に関するものである。
【背景技術】
【０００２】
左右のレンズ縁枠相互をブリッジで連結してなる合成樹脂製の眼鏡前枠（フロント）を製造する製造方法の主なものとしては、特公昭５５−３１７３２号公報等が開示する射出成形による製造方法や、型押し・カット加工による製造方法がある。
【０００３】
射出成形による製造方法は、複数の割金型からなり且つその閉鎖によって眼鏡前枠に相当する型孔を形成する金型を用い、閉鎖状態にある金型の型孔内に、溶融状態にあるアセテートやセルロースプロピオネート、ナイロン等の合成樹脂を圧入、充填し、成形終了後に金型を開放することによって、成形された眼鏡前枠を金型から取り外す製造工程を経るものであった。
【０００４】
又前記型押し・カット加工による製造方法は、アセテートやセルロイドからなる矩形板状の板体を用いるものであり、これを加熱状態にして上下から金型でプレス成形を施すことによって、図３３〜３４に示すような、左右のレンズ縁枠形成部ａ，ａ間にブリッジ形成部ｂが設けられた基板ｃを形成する。その後、該レンズ縁枠形成部ａ，ａに所要のカット加工を施すことによって、図３５に示すような、内周面にレンズが装着されるレンズ縁枠ｄ，ｄを形成すると共に、前記ブリッジ形成部ｂを所要にカット加工することによって、左右のレンズ縁枠ｄ，ｄ相互を連結するブリッジｅを形成する工程を経るものであった。
【０００５】
前記射出成形の製造方法によるときは、一旦金型を製作した後は、各部が精度良く形成された眼鏡前枠を量産できると共に、形成された眼鏡前枠の各部の形状は変形しにくい固定的なものであるので、眼鏡前枠の形態が長期間に亘って安定的に維持され、従って、眼鏡の掛け心地を長く維持できる利点があった。しかしながら、射出成形のための金型が非常に高価であるために、所望の眼鏡デザインに合わせて多種類の金型を製作することは経済的に困難であり、多品種少ロット生産を求める今日の眼鏡個性化指向に応じられない問題があった。又、製作された金型は修正が必要であるために、眼鏡を企画してから量産態勢に入るまでに何ヵ月も要し、直ちに需要に応じられない問題もあった。
【０００６】
これに対して前記型押し・カット加工の製造方法によるときは、１枚の基板が、レンズ縁枠の形状や大きさ、ブリッジの形状や大きさ、ブリッジの高さ等が異なる各種の眼鏡前枠のカット加工に応じられるため、射出成形による場合とは異なり多品種小ロット生産に対応できる長所を有していた。しかしながら、前記基板を形成するに際しては、前記板体を加熱状態にしてプレス成形を施すことにより、眼鏡前枠に要求される各部形状（平面視で内方に向けて湾曲した形状等）を該板体に付与するものであったため、射出成形におけるような正確な形状は形成できない問題があったばかりか、カット加工により製造された眼鏡前枠の各部の形状が戻り易い欠点があった。この戻り現象は、型押し・カット加工によって製造された眼鏡前枠は、その各部形状が型押し時の塑性変形よって形成されているため、経年変化や気温の変化によって自然に生じた他、図３５に矢印で示すように、眼鏡着用時において眼鏡前枠ｆの左右の側部ｇ，ｇに連結されたテンプルｈ，ｈが拡開状態になることに伴い、眼鏡前枠の平面視での湾曲形状を拡げようとする外力が作用して眼鏡前枠の各部の形状が戻り易くなるのであり、戻った分が復元しなくなるのであった。このような戻り現象が生ずると、着用眼鏡がずり落ちやすくなるばかりか、眼鏡着用者の眼とレンズの焦点の不一致が生じてレンズの光学的性能の低下をきたす問題を招来した他、甚だしいときは、レンズ縁枠からレンズが外れてしまうといった問題も生じさせた。
【０００７】
そこで、製造される眼鏡前枠の剛性を増大させてこのような戻り現象を極力抑制せんとして、使用する前記板体の肉厚を例えば６ｍｍ程度と厚く形成することが行われていた。しかしながら、かかる肉厚の大きい板体をカット加工して製造した眼鏡前枠であっても前記戻り現象は完全には阻止されず、又、該眼鏡前枠は全体として厚ぼったい出来栄えになってしまい眼鏡のファション性の面で好ましくなかった。
【０００８】
【特許文献１】特公昭５５−３１７３２号公報（１−２頁、第１図−第４図）
【発明の開示】
【発明が解決しようとする課題】
【０００９】
本発明は前記従来の問題点に鑑みて開発されたものであり、左右のレンズ縁枠間にブリッジが設けられてなる眼鏡前枠の多品種小ロット生産を、短納期で然も経済的に達成し得る眼鏡前枠製造基板の提供を課題とするものであり、且つ、形態が長期間に亘って安定的に維持される眼鏡前枠を製造し得る眼鏡前枠製造基板の提供を課題とするものである。又、該眼鏡前枠製造基板を用いる眼鏡前枠の合理的な製造方法の提供を課題とするものである。
【課題を解決するための手段】
【００１０】
前記課題を解決するため本発明は以下の手段を採用する。
即ち本発明に係る眼鏡前枠製造基板の第１の態様は、合成樹脂の射出成形によって形成された眼鏡前枠製造基板であって、左右のレンズ縁枠形成部間にブリッジ形成部が設けられており、該レンズ縁枠形成部が所要にカット加工されることによって、レンズが装着されるレンズ縁枠が形成されると共に、該ブリッジ形成部が所要にカット加工されることによって、左右のレンズ縁枠相互を連結するブリッジが形成される如くなされている。又、該レンズ縁枠形成部の前面及び該ブリッジ形成部の前面の形状は、形成せんとする眼鏡前枠の枠前面（顔面側と反対側の面）に合わせて形成されると共に、該レンズ縁枠形成部の後面及び該ブリッジ形成部の後面の形状は、形成せんとする眼鏡枠の枠後面（顔面側の面）に合わせて形成されていることを特徴とするものである。
【００１１】
前記眼鏡前枠製造基板の第２の態様は、前記レンズ縁枠形成部の前面が、使用されるレンズの突の球面に略合わせた突球面を有し、且つ前記レンズ縁枠形成部の後面が、使用されるレンズの凹の球面に略合わせた凹球面を有し、カット加工によって形成されるリムの、少なくとも内周縁の略全体が、該突球面及び凹球面に位置するように構成するのがよい。
【００１２】
前記各眼鏡前枠製造基板において、前記左右のレンズ縁枠形成部の中央部分等の所要部分に、前記レンズ縁枠の形成に支障のない範囲で開口を設けるのがよい。
【００１３】
前記各眼鏡前枠製造基板において、後側の左右端部分に、ヨロイ形成用突部を後方向に突設し、該ヨロイ形成用突部が所要にカット加工されることによって、テンプルを連結するためのヨロイが形成される如くなすのがよい。
【００１４】
前記各眼鏡前枠製造基板において、射出成形に用いる前記合成樹脂として、カーボンが５〜３０重量％混合されてなるカーボン樹脂を用いるのがよい。該合成樹脂としては、特に、ナイロンにカーボンが１０〜２５重量％混合されてなるカーボン樹脂を用いるのがよい。
【００１５】
本発明に係る眼鏡前枠の製造方法は、前記第１の態様に係る眼鏡前枠製造基板をカット加工することによって眼鏡前枠を製造する製造方法であり、前記レンズ縁枠形成部をカット加工することによってレンズ縁枠を形成すると共に、前記ブリッジ形成部をカット加工することによって、左右のレンズ縁枠相互を連結するブリッジを形成することを特徴とするものである。
【００１６】
本発明に係る眼鏡前枠の製造方法の他のものは、前記第２の態様に係る眼鏡前枠製造基板をカット加工することによって眼鏡前枠を製造する製造方法であり、前記レンズ縁枠形成部をカット加工することによって、内周縁の略全体が前記突球面及び前記凹球面に位置するレンズ縁枠を形成すると共に、前記ブリッジ形成部をカット加工することによって、左右のレンズ縁枠相互を連結するブリッジを形成することを特徴とするものである。
【００１７】
かかる眼鏡前枠の製造方法において、前記レンズ縁枠は、環状にカット加工して形成する態様の他、レンズの上縁部分のみに又は下縁部分のみに装着されるものとしてカット加工して形成する態様を含む。
【発明の効果】
【００１８】
本発明は以下の如き優れた効果を奏する。
(1) 本発明は、射出形成によって形成された眼鏡前枠製造基板に関するものであり、又、該眼鏡前枠製造基板を用いる眼鏡前枠の製造方法に関するものであって、該眼鏡前枠製造基板の前面及び後面の形状は、カット加工により製造せんとする眼鏡前枠の枠前面及び枠後面に合わせて形成され、その形状は、明瞭に且つ固定的に形成されている。
従って本発明によるときは、枠前面及び枠後面が、見栄えのよい自然な外観の眼鏡前枠を製造できる。
又、このように眼鏡前枠製造基板をカット加工して形成された眼鏡前枠は、型押しによって形成された前記従来の基板をカット加工して製造した眼鏡前枠とは異なり、眼鏡前枠の枠前面や枠後面の形態が崩れる恐れがない。それ故、眼鏡前枠の左右側部に連結されたテンプルが眼鏡着用時に拡開することに伴って眼鏡前枠の枠前面や枠後面が変形したとしても、この変形は弾性変形の範囲であって復元できる。
この点、型押し・カット加工によって製造された前記従来の眼鏡前枠が、かかるテンプルの拡開に伴う外力の作用を受けて、眼鏡前枠の各部の形状が戻り易くなり戻った分が復元しなくなるのとは明らかに異なる。かかることから本発明によるときは、このような戻り現象の生じない安定形態の樹脂製眼鏡前枠を製造できることになる。従って、眼鏡前枠を長期に亘って顔にフィットさせて着用できると共に、従来の眼鏡前枠におけるような、眼鏡着用者の眼とレンズの焦点の不一致を生じさせてレンズの光学的性能の低下をきたす問題を発生させたり、レンズがレンズ縁枠から外れる等の問題を生じさせることもない。  
【００１９】
(2) 又前記従来の眼鏡前枠にあっては、かかる戻り現象を極力抑制するために、型押しに用いる板体の肉厚を厚くして眼鏡前枠の剛性を向上させる必要があったことから、該板体をカット加工して製造された眼鏡前枠は全体として厚ぼったい出来栄えなってしまい、眼鏡のファション性の面で好ましくなかったが、本発明によるときは、かかる戻り現象の問題が発生しないことから、眼鏡前枠製造基板を従来に比して薄肉に形成でき、従って、見栄えのよい薄型の眼鏡前枠を製造できることになる。
【００２０】
(3) 又本発明に係る眼鏡前枠製造基板は、製造せんとする眼鏡前枠の枠前面及び枠後面に合わせた形態の眼鏡前枠形成基板を用いるため、前記のように形態の安定した眼鏡前枠を製造できるのは元より、１枚の眼鏡前枠製造基板が、多種類のデザイン構成の眼鏡前枠のカット加工に応じられる。
かかることから、同一構成の眼鏡前枠製造基板を用いることによって、多種類のデザイン構成を有する眼鏡前枠を短時間でしかもコスト低減を図って製造できる。従って本発明によるときは、眼鏡前枠の全体を射出成形によって製造する従来の製造方法によっては達成し得なかった、多品種小ロット生産に容易に応じ得る利点がある。
【００２１】
(4) 特に、射出成形に用いる樹脂として、カーボンが混合されたカーボン樹脂を使用するときは、眼鏡前枠製造基板をより硬く形成できるため、カット加工によって形成された眼鏡前枠をより薄型で丈夫なものとなし得、眼鏡前枠の見栄えを向上させ得る。又眼鏡前枠製造基板が硬い程、カット加工の際のカット面のエッジをより明瞭化できるため、高級感のある個性的な眼鏡前枠を製造できることとなる。
この点について、前記した従来の製造方法と対比して説明する。従来の射出成形による場合は、金型構造上、製造された眼鏡前枠の縁部分は丸味を帯びたものにならざるを得なかったのであり、又、従来の型押し・カット加工によって製造されたアセテート製やセルロイド製の眼鏡前枠は、材質が比較的軟らかいものであったために、カット加工時はカット面のエッジを明瞭に形成できても、その後のバレル研磨工程を経た後はエッジが丸味を帯びやすいのであった。これに対して、カーボン樹脂を用いて製造する本発明によるときは、従来の射出成形によっても、又、従来の型押し・カット加工によっても製造できなかった、カット面のエッジが明瞭である新規な眼鏡前枠を製造できることとなる。
更に、カーボン樹脂を用いることによって樹脂の耐熱温度を上昇させ得ることから、丈夫な焼き付け塗装を施すことも可能となる。
【００２２】
(5) 前記左右のレンズ縁枠形成部に、眼鏡前枠を製造するためのカット加工の障害とならない範囲で開口を設ける場合は、使用樹脂を節約して射出成形でき、眼鏡前枠製造基板のコスト低減を図ることができる。
【００２３】
(6) 眼鏡前枠製造基板を、その後側の左右端部分にヨロイ形成用突部が突設されたものとして構成するときは、テンプル連結のためのヨロイを、眼鏡前枠の左右側部に一体に形成できることとなる。かかることから、装飾性に優れた高級感を有するヨロイ一体の眼鏡枠を製造できると共に、一体形成されたヨロイによって眼鏡前枠の両側部を丈夫に形成できることとなる。更には、ヨロイを後付けする手間を要さないため、眼鏡の組立ての能率化と製造コストの低減を達成できることとなる。                
【実施例１】
【００２４】
以下、本発明の実施例を図面に基づいて説明する。
図１〜３は、本発明に係る眼鏡前枠製造基板１を例示するものであり、合成樹脂を用いて略等肉厚で一体に射出成形されており、左右に長い矩形板状を呈するレンズ縁枠形成部２，２間にブリッジ形成部３が設けられ、正面視で、図３に示すように、左右方向に長い矩形板状を呈している。そして、該左右のレンズ縁枠形成部２，２の夫々が所要にカット加工されることにより、図４に示すような、内周面５，５にレンズ６，６が装着される左右の環状のレンズ縁枠７，７が形成される。又、前記ブリッジ形成部３が所要にカット加工されることによって、図４に示すような、左右のレンズ縁枠７，７相互を連結するブリッジ９が形成され、これらによって、図４に示す眼鏡前枠１０が製造される。
【００２５】
前記合成樹脂としては、アセテートやセルロースプロピオネート、ナイロン、カーボン樹脂、チタン等の金属の粉末が混合されてなる樹脂等、眼鏡前枠の製造のために従来使用されている合成樹脂全般を使用できるが、カーボン樹脂がより好ましい。
【００２６】
ここにカーボン樹脂とは、カーボンが混合された樹脂を言うが、例えば、５〜３０重量％のカーボンが混合されたナイロン樹脂を用いるのが好ましい。カーボンの混合量が５重量％よりも小さいと、眼鏡前枠を硬くせんとするカーボン混合の目的が達成されにくくなって好ましくない。又３０重量％以上に混合すると、眼鏡前枠製造基板が硬くなり過ぎ、前記カット加工の際にクラックが発生したり折損が生ずる恐れがあって好ましくない。特に、カーボンの混合割合を１０〜２５重量％に設定した場合は、製造された眼鏡前枠製造基板１の硬度を高く確保でき、しかも眼鏡前枠製造基板１を薄肉に形成できる。例えば３〜４ｍｍ程度と薄肉に形成できる。従って、かかるカーボン樹脂を用いるときは、薄肉でしかも丈夫な眼鏡前枠を製造できると共に、例えば図４に示すように、エッジ８ａの際立ったシャープなカット面８を形成しながらカット加工を施すことができ、バレル研磨後の眼鏡前枠にもシャープなカット面を残すことができるため、高級感ある眼鏡前枠の製造が可能となる。又、カーボンの混合割合を例えば２３〜２４重量％程度の高い割合に設定した場合は、製造された眼鏡前枠の耐熱温度を向上させることができ、１７０〜１８０℃の高温焼き付け温度に対しても変形が生じないことから、強度の高い焼き付け塗装を施すことが可能となる。
【００２７】
そして該眼鏡前枠製造基板１は、前記のように、カット加工されることによって左右のレンズ縁枠７，７と該レンズ縁枠７，７相互を連結するブリッジ９とが形成されるものであるため、図１〜２、図５に示すように、該左右のレンズ縁枠形成部２，２の前面１１，１１及び前記ブリッジ形成部３の前面１２が、製造せんとする眼鏡前枠１０の枠前面（顔面側と反対側の面）１３（図６）に合わせた突面１３ａに形成されている。又、該左右のレンズ縁枠形成部２，２の後面１５，１５及び前記ブリッジ形成部３の後面１６は、製造せんとする眼鏡前枠１０の枠後面（顔面側の面）１７（図７）に合わせた凹面１７ａに形成されている。
【００２８】
前記レンズ縁枠形成部２，２の前面１１，１１及び後面１５，１５の形状についてより詳しく説明すれば、本実施例においては、該前面１１は、図１に示すように、使用される前記レンズ６の突の球面１９（図４）に合わせた突球面２０を有しており、又前記後面１５は、図２に示すように、使用される前記レンズ６の凹の球面２１（図４）に合わせた凹球面２２を有している。そして、前記のようにカット加工によって形成されるレンズ縁枠７，７の少なくとも内周縁２３の略全体は、該突球面２０及び凹球面２２に位置するようになされる。ここに、内周縁２３の略全体が突球面２０及び凹球面２２に位置するとは、該内周縁２３が該突球面２０及び凹球面２２に完全に位置することの他、該内周縁２３の一部分が、該突球面２０及び凹球面２２から外れた状態になる場合も含むものである。又前記ブリッジ形成部３は、眼鏡前枠製造基板１の上下全幅に亘って形成されている。そして該ブリッジ形成部３は、本実施例においては前方に向けて突出するＵ字状に屈曲され、その曲率半径は、上端２６から下端２７に向けて徐々に大きくなるように設定されている。
【００２９】
然して、かかる構成を有する眼鏡前枠製造基板１は、その平面視で、図５に示すように、後方に向けて稍屈曲しており、該左右のレンズ縁枠形成部２，２の中央部分は、前方に円弧状に突出した突出部２８，２８とされている。
【００３０】
図４は、かかる眼鏡前枠製造基板１をカット加工して製造された眼鏡前枠１０を示すものであり、形成されたレンズ縁枠７，７の内周面には、レンズ６，６を装着するためのレンズ溝２９，２９が形成されている。図３には、かかる眼鏡前枠１０をカット加工するための輪郭線３０が破線で表示されており、左右のレンズ縁枠７，７の内周縁２３の輪郭線部分３０ａが、前記突球面２０及び凹球面２２に存するように設定されている。該輪郭線に沿ってカット加工を施すことにより、見栄えのよい自然な外観の眼鏡前枠１０が製造されることとなる。特に本実施例においては、前記のように、前面１１が突球面２０を有し且つ、後面１５が凹球面２２を有しているため、レンズ縁枠７，７の前面や後面の形態がレンズの突の球面１９や凹の球面２１に略合うことになって該レンズ縁枠７，７の形態の自然さが強調される。図６〜７は、このようにして製造された眼鏡前枠１０の左右のレンズ縁枠７，７にレンズ６，６を装着し、且つ該眼鏡前枠１０の左右側部にテンプル３１，３１を連結して構成された眼鏡３２を示している。
【００３１】
なお本実施例においては、眼鏡前枠１０が、前記のようにカーボン樹脂を用いて製造されているので、環状のレンズ縁枠７，７が硬い。そこで、該レンズ縁枠７，７に対するレンズ６，６の装着を容易とするために、図８〜９に示すように、該環状のレンズ縁枠７をその外端側で分割すると共に、上下の分割端３３，３５相互を、ビス３６を用いて連結可能に構成している。この場合、ビス３６が螺合される側の分割端（本実施例においては上の分割端３３）に、予めネジ孔３４を設けておく。このネジ孔３４は、樹脂の分割端に直接設けられることの他、該分割端に金属製のネジ筒を埋設して設けられることもある。なおこの分割は、該環状のレンズ縁枠の内端側で行ってもよい。然して、かかる環状のレンズ縁枠７にレンズ６を装着するに際しては、図１０に示すように、該ビス３６を取り外し乃至緩めた状態で該レンズ縁枠７を拡開し、該レンズ縁枠７の内周面に設けられた前記レンズ溝２９にレンズ６の周縁部分３０を嵌合させて後、該ビス３６を締め付ける。これにより図８〜９に示すように、環状のレンズ縁枠７にレンズ６を容易に装着できる。
【００３２】
このようにして製造された眼鏡前枠１０は、射出成形によって形成された眼鏡前枠製造基板１をカット加工してなるため、左右のレンズ縁枠７，７及びブリッジ９の各部の形状は、従来の型押し・カット加工を経て製造された眼鏡前枠とは異なり、変形しにくい固定的なものである。それ故、眼鏡着用時において左右のテンプル３１，３１（図６）が拡開状態になったときにも、眼鏡前枠の各部の形態が崩れる恐れがない。従って、従来の型押し・カット加工の製造方法によって製造された眼鏡前枠におけるような、眼鏡がずり落ち易くなったり、眼鏡着用者の眼とレンズの焦点の不一致を生じさせてレンズの光学的性能を低下させるといった問題を生じさせる恐れがなく、又、レンズがレンズ縁枠から外れる等の不具合もなく、前記射出形成によって製造された眼鏡前枠と同等の性能を有する眼鏡前枠を製造できることとなる。
【００３３】
然も、１枚の眼鏡前枠製造基板１が、レンズ縁枠７，７の上下幅や左右幅、ブリッジ９の上下高さやそのＵ字状屈曲形態等が異なる各種デザイン構成の眼鏡前枠のカット加工に応じられるため、前記射出成形による場合とは異なり、眼鏡前枠の多品種小ロット生産に短納期で対応できることとなる。図１１は、同一構成の眼鏡前枠製造基板１を用いて製造し得る眼鏡前枠の他の態様について、該眼鏡前枠を形成するための輪郭線３０を破線で示しており、レンズ縁枠７，７が環状を呈し、その上下幅は、図４に示す場合に比して大きい。
【００３４】
又前記眼鏡前枠製造基板１は、レンズ縁枠７が環状を呈する眼鏡前枠１０を製造するために用い得るだけでなく、図１２〜１３に示すような、左右のレンズ６，６の上縁部分３７，３７の外周面３９，３９に取り付く円弧状のレンズ縁枠７，７の内端相互がブリッジ９により連結された縁無し眼鏡用の眼鏡前枠１０を製造するためにも用いることができる。かかる眼鏡前枠１０を形成するための輪郭線４０が、図１４に示す眼鏡前枠製造基板１に破線で表示されている。
【００３５】
図１３、図１５は、図１２に示す眼鏡前枠１０を用いて構成された縁無し眼鏡４１を示すものであり、前記構成の眼鏡前枠１０の左右のレンズ縁枠７，７に左右のレンズ６，６を装着すると共に、該レンズ６，６の夫々の下縁部分４２の外周面４３に取り付く樹脂製コード（ナイロン糸等）４５で、該レンズ６をレンズ縁枠７に固定している。該樹脂製コード４５の両端部４６，４７は、図１５に示すように、各レンズ縁枠７，７の両端部分４９，５０に設けられた止着孔５１に挿通され且つ、端部に抜け止め膨出部５２が設けられることによって、該端部分４９，５０に止着される。これにより、左右のレンズ縁枠７，７に左右のレンズ６，６の上縁部分３７，３７が取り付けられるのである。
【００３６】
図１６〜１７は、図１２〜１３に示す場合とは逆に、左右のレンズ６，６の夫々の下縁部分４２の外周面５３に取り付く円弧状のレンズ縁枠７，７の内端相互がブリッジ９により連結されてなる縁無し眼鏡用の眼鏡前枠１０を用いて構成された縁無し眼鏡４１を示すものであり、かかる眼鏡前枠１０のレンズ縁枠７，７にレンズ６，６を取り付ける要領は、夫々のレンズ６の上縁部分３７の外周面３９に取り付く樹脂製コード（ナイロン糸等）４５を用いて前記と同様に行うことができる。かかる眼鏡前枠１０の輪郭線４８が、図１６に示す眼鏡前枠製造基板１に破線で表示されている。
【００３７】
図１８は、眼鏡前枠製造基板１の他の態様を示すものであり、眼鏡前枠製造基板の射出成形のために用いる樹脂量を削減するために、カット加工によりレンズ縁枠を形成するのに支障のない範囲で、前記レンズ縁枠形成部２，２の中央部分に開口（例えば横長楕円形状等の開口）５３，５３を設けると共に、基板四隅部分５５，５５、５５，５５を、レンズ縁枠の形成に支障のない範囲で角丸に形成している。この場合も前記と同様に、突球面２０と凹球面２２が設けられている。そして、図１９〜２０に破線で表示されている輪郭線５６は、カット加工により形成せんとする眼鏡前枠１０の外形形状を示している。
【００３８】
又図２１は、前記縁無し眼鏡用の眼鏡前枠１０をカット加工により形成するための眼鏡前枠製造基板１を示すものであり、眼鏡前枠製造基板の射出成形のために用いる樹脂量を削減するために、カット加工によりレンズ縁枠を形成するのに支障のない範囲で、眼鏡前枠製造基板１の上下幅を図１８に示すものに比して小さく形成すると共に、前記レンズ縁枠形成部２，２の中央部分に開口（例えば横長楕円形状等の開口）５３，５３を設けると共に、基板四隅部分５７，５７、５７，５７を、レンズ縁枠の形成に支障のない範囲で角丸に形成している。この場合も前記と同様に、突球面２０と凹球面２２が設けられている。そして、図２２〜２４に付されている破線の輪郭線５９は、カット加工により形成せんとする眼鏡前枠１０の外形形状を示している。
【００３９】
図２５〜２６は、本発明に係る眼鏡前枠製造基板１の他の実施例を示すものであり、図１〜２に示したものと異なるのは、その後側６５の左右端部分に、図２９に示すような、テンプル３１を眼鏡前枠１０に連結する為の連結部となるヨロイ６４を形成するために用いられるヨロイ形成用突部６６が後方向に突設されている点である。より具体的に説明すれば該眼鏡前枠製造基板１は、前記と同様の合成樹脂を用いて一体に射出成形されており、左右に長い矩形板状を呈するレンズ縁枠形成部２，２間にブリッジ形成部３が設けられ、正面視で、図２７に示すように、左右方向に長い矩形板状を呈している。該ブリッジ形成部３は、本実施例においては、眼鏡前枠製造基板１の略上半分に設けられており、前方に向けて突出するＵ字状に屈曲され、そのＵ字状部分の曲率半径は、上端７５から下端７６に向けて徐々に大きくなるように設定されている。そして後側６５の左右端部分に、上下方向に連続する前記ヨロイ形成用突部６６，６６が後方向に突設されている。該ヨロイ形成用突部６６，６６は、本実施例においては、横断面が長方形状の直方体状を呈しており、その内方側の側面６７，６７は円弧状凹面を呈し、該眼鏡前枠形成基板１の上下端６９，７０は全体が面一に形成されている。
【００４０】
そして、前記左右のレンズ縁枠形成部２，２の夫々が所要にカット加工されることにより、図２８に示すような、内周面５，５にレンズ６，６が装着される左右の環状のレンズ縁枠７，７が形成される。又、前記ブリッジ形成部３が所要にカット加工されることによって、図２８に示すような、左右のレンズ縁枠７，７相互を連結するブリッジ９が形成され、これらによって、図２８に示す眼鏡前枠１０が製造される。又、前記眼鏡前枠製造基板１が、その後側６５の左右端部分にヨロイ形成用突部６６，６６が突設されているため、該ヨロイ形成用突部６６，６６を所要にカット加工することによって、前記眼鏡前枠１０の左右側部に前記ヨロイ６４，６４を一体に形成できる。このようにヨロイを一体に形成できることから、眼鏡の高級感を高めることができる。本実施例においては、図２７に示すように、前記レンズ縁枠７，７の左右端部分７１，７１が前記ヨロイ形成用突部６６，６６に存在するように前記左右のレンズ縁枠形成部２，２をカット加工するため、形成された左右のレンズ縁枠７，７の左右端部分７１，７１を図２８〜２９に示すように湾曲面として形成できることとなり、眼鏡の高級感を一層高めることができる。
【００４１】
然も、前記のように一連に形成されたヨロイ６４に、所要に孔部を設けたりカット加工を施す等によって、前記眼鏡前枠１０のデザインと調和した斬新な装飾を施すこともできるため、装飾性に一層優れた高級感あるヨロイ一体の眼鏡枠を製造できることになる。加えて、このように左右のヨロイ６４，６４が眼鏡前枠１０と一体に形成されることから、該ヨロイ６４，６４によって眼鏡前枠１０の左右両側部分７２，７２を丈夫に形成できることになる。更に、このように眼鏡前枠１０とヨロイ６４とを一体に形成できることから、ヨロイを眼鏡前枠に後付けする手間を要さず、従って、眼鏡の組み立て作業の能率化と眼鏡製造コストの低減を達成できることになる。
【００４２】
図２９は、前記のように形成された左右のヨロイ６４，６４にテンプル３１，３１を連結することによって構成された眼鏡３２の一例を示すものである。
【００４３】
又図３０は、前記レンズ縁枠７，７に対するレンズ６，６の装着を容易とするために、前記環状のレンズ縁枠７を、例えばその外端で分割すると共に、上下の分割端７３，７４相互をビス７５を用いて連結可能に構成した場合を示すものである。この場合、ビス７５が螺合される側の分割端（本実施例においては上の分割端）７３に、予めネジ孔７６を設けておくのであるが、本実施例においては、前記ヨロイ形成用突部６６をカット加工することによってヨロイ６４を形成することとしているため、上下の分割端７３，７４を厚肉に形成できることになる。かかることから、上下の分割端７３，７４相互をビス７５を用いて連結する場合、ビス連結強度を向上させることができる。
【００４４】
前記ヨロイ形成用突部６６は、前記実施例で示したものの他、前記後側６５の左右端部分の上下方向の中央部分等に設けられることもあり、その形状も特定されない。又、前記ブリッジ形成部３は、図１〜２に示すと同様にして眼鏡前枠製造基板１の上下方向全長に亘って設けられることもある。
【実施例２】
【００４５】
本発明は、前記実施例で示したものに限定されるものでは決してなく、「特許請求の範囲」の記載内で種々の設計変更が可能であることはいうまでもない。その一例を挙げれば次のようである。
【００４６】
(1) 前記眼鏡前枠製造基板１に設ける前記突面１３ａ及び前記凹面１７ａの形態は、製造せんとする眼鏡前枠の枠前面１３、枠後面１７に合わせて設定されるものであり、例えば図３１に示すサングラス用のものは、通常の視力矯正眼鏡用のものに比し、該突面１３ａ及び該凹面１７ａの曲率半径がより小さく設定されている。
【００４７】
(2) 前記レンズ縁枠７は、前記のように構成されることの他、レンズが装着され得る限り各種に構成できる。
【００４８】
(3) レンズ縁枠形成部分に設ける前記開口５３の形状や大きさは、レンズ縁枠を所要に形成できる限り、開口面積を極力大きく設定してよく、その分だけ眼鏡前枠製造基板の形成に要する樹脂量を削減できて経済的である。
【００４９】
(4) 前記眼鏡前枠製造基板が、縁無し眼鏡用の眼鏡前枠を製造するために用いられる場合は、前記開口５３は、例えば図３２に示すように、基板外縁６０で開放するように設けられることもある。
【図面の簡単な説明】
【００５０】
【図１】眼鏡前枠製造基板を前側から見た斜視図である。
【図２】眼鏡前枠製造基板を後側から見た斜視図である。
【図３】眼鏡前枠製造基板を、眼鏡前枠の輪郭線を表示した状態で示す正面図である。
【図４】眼鏡前枠製造基板をカット加工して製造された眼鏡前枠をレンズと共に示す斜視図である。
【図５】眼鏡前枠製造基板の平面図である。
【図６】眼鏡前枠を用いて構成された眼鏡を示す斜視図である。
【図７】その眼鏡の部分斜視図である。
【図８】レンズが装着されたレンズ縁枠を示す斜視図である。
【図９】その部分断面図である。
【図１０】環状のレンズ縁枠にレンズを装着する要領を説明する斜視図である。
【図１１】異なる眼鏡前枠の輪郭線が表示された眼鏡前枠製造基板を示す正面図である。
【図１２】その輪郭線に沿ってカット加工することにより製造された眼鏡前枠を示す斜視図である。
【図１３】その眼鏡前枠を用いて構成された縁無し眼鏡を示す正面図である。
【図１４】その眼鏡前枠をカット加工するための輪郭線が表示された眼鏡前枠製造基板を示す正面図である。
【図１５】レンズ縁枠に対するレンズの固定状態を示す断面図である。
【図１６】縁無し眼鏡用の他の眼鏡前枠をカット加工するための輪郭線が表示された眼鏡前枠製造基板を示す正面図である。
【図１７】カット加工によって製造された眼鏡前枠を用いて構成した縁無し眼鏡を示す正面図である。
【図１８】眼鏡前枠製造基板の他の実施例を示す斜視図である。
【図１９】その眼鏡前枠製造基板に、カット加工用の輪郭線を表示した状態を示す正面図である。
【図２０】その眼鏡前枠製造基板に、カット加工用の他の輪郭線が表示された状態を示す正面図である。
【図２１】眼鏡前枠製造基板のその他の実施例を示す斜視図である。
【図２２】縁無し眼鏡用の眼鏡前枠をカット加工するための輪郭線が表示された眼鏡前枠製造基板の正面図である。
【図２３】縁無し眼鏡用の眼鏡前枠をカット加工するための輪郭線が表示された眼鏡前枠製造基板の正面図である。
【図２４】縁無し眼鏡用の眼鏡前枠をカット加工するための輪郭線が表示された眼鏡前枠製造基板の正面図である。
【図２５】眼鏡前枠製造基板の他の実施例を前側から見た斜視図である。
【図２６】その眼鏡前枠製造基板を後側から見た斜視図である。
【図２７】その眼鏡前枠製造基板を、眼鏡前枠の輪郭線を表示した状態で示す正面図である。
【図２８】その眼鏡前枠製造基板をカット加工して製造された眼鏡前枠をレンズと共に示す斜視図である。
【図２９】眼鏡前枠を用いて構成された眼鏡を示す斜視図である。
【図３０】外端で分割された環状のレンズ縁枠の上下の分割端をビスと共に示す斜視図である。
【図３１】サングラス用の眼鏡前枠を製造するために用いられる眼鏡前枠製造基板を示す平面図である。
【図３２】眼鏡前枠製造基板のその他の実施例を、縁無し眼鏡用の眼鏡前枠をカット加工するための輪郭線が表示された状態で示す正面図である。
【図３３】従来の型押し・カット加工の製造に用いる板体を前側から見た斜視図である。
【図３４】その板体を後側から見た斜視図である。
【図３５】その板体をカット加工して製造された眼鏡前枠を用いて構成した眼鏡を示す平面図である。
【符号の説明】
【００５１】
１  眼鏡前枠製造基板
２  レンズ縁枠形成部
３  ブリッジ形成部
６  レンズ
７  レンズ縁枠
９  ブリッジ
１０  眼鏡前枠
１１  レンズ縁枠形成部の前面
１２  ブリッジ形成部の前面
１３  眼鏡前枠の枠前面
１３ａ  突面
１５  レンズ縁枠形成部の後面
１６  ブリッジ形成部の後面
１７  眼鏡前枠の枠後面
１７ａ  凹面
１９  レンズの突の球面
２０  突球面
２１  レンズの凹の球面
２２  凹球面
２３  レンズ縁枠の内周縁
２９  レンズ溝
３０  輪郭線
３１  テンプル
３２  眼鏡
３３  分割端
３５  分割端
３６  ビス
５３  開口
【図１】
2007058189.tif 000003
【図２】
2007058189.tif 000004
【図３】
2007058189.tif 000005
【図４】
2007058189.tif 000006
【図５】
2007058189.tif 000007
【図６】
2007058189.tif 000008
【図７】
2007058189.tif 000009
【図８】
2007058189.tif 000010
【図９】
2007058189.tif 000011
【図１０】
2007058189.tif 000012
【図１１】
2007058189.tif 000013
【図１２】
2007058189.tif 000014
【図１３】
2007058189.tif 000015
【図１４】
2007058189.tif 000016
【図１５】
2007058189.tif 000017
【図１６】
2007058189.tif 000018
【図１７】
2007058189.tif 000019
【図１８】
2007058189.tif 000020
【図１９】
2007058189.tif 000021
【図２０】
2007058189.tif 000022
【図２１】
2007058189.tif 000023
【図２２】
2007058189.tif 000024
【図２３】
2007058189.tif 000025
【図２４】
2007058189.tif 000026
【図２５】
2007058189.tif 000027
【図２６】
2007058189.tif 000028
【図２７】
2007058189.tif 000029
【図２８】
2007058189.tif 000030
【図２９】
2007058189.tif 000031
【図３０】
2007058189.tif 000032
【図３１】
2007058189.tif 000033
【図３２】
2007058189.tif 000034
【図３３】
2007058189.tif 000035
【図３４】
2007058189.tif 000036
【図３５】
2007058189.tif 000037